(57)【要約】      （修正有）【課題】デバイスツーデバイス（Ｄ２Ｄ）通信におけるサブフレーム構成指示方法およびシステムを提供する。【解決手段】上位層シグナリングおよび／または物理層シグナリングにより、構成されたＤ２Ｄ送信サブフレームおよび／またはＤ２Ｄ受信サブフレームおよび／またはＤ２Ｄ特殊サブフレームを指示する。Ｄ２Ｄ送信サブフレームがＤ２Ｄ通信データを搬送して送信するように構成され、Ｄ２Ｄ受信サブフレームがＤ２Ｄ通信データを受信するように構成され、Ｄ２Ｄ特殊サブフレームがＤ２Ｄ通信データを搬送して、Ｄ２Ｄ通信データを送信および受信するように構成され、Ｄ２Ｄ送信サブフレーム、受信サブフレームおよび特殊サブフレームが、システム上りリンクサブフレームである。【選択図】図４
2017184271.tif 000002
【特許請求の範囲】
【請求項１】
サブフレーム構成指示方法であって、
第１シグナリングにより、構成されたデバイスツーデバイス（Ｄ２Ｄ）サブフレームを指示することと、第２シグナリングにより、前記Ｄ２ＤサブフレームにＤ２Ｄ送信サブフレームを指示することと、を含み、
前記Ｄ２Ｄサブフレームがセル共通サブフレーム又はＤ２Ｄ通信グループ共通サブフレームであり、
前記Ｄ２Ｄサブフレームがシステムアップリンクサブフレームであり、
前記Ｄ２Ｄ送信サブフレームがＤ２Ｄ通信データを送信するように構成される、前記サブフレーム構成指示方法。
【請求項２】
前記第１シグナリングが上位層シグナリングであり、Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む
請求項１に記載のサブフレーム構成指示方法。
【請求項３】
前記第１シグナリングには、Ｄ２Ｄ無線フレーム構成周期、Ｄ２Ｄ無線フレーム構成オフセット、Ｄ２Ｄサブフレーム構成指示のうちの少なくとも一つが含まれる
請求項１に記載のサブフレーム構成指示方法。
【請求項４】
第１シグナリングにより、構成されたＤ２Ｄサブフレームを指示することは、
前記Ｄ２Ｄサブフレーム構成指示により前記Ｄ２Ｄサブフレームを指示し、前記Ｄ２Ｄサブフレーム構成指示が４０ｂｉｔ指示情報であって、ビットマップ（ｂｉｔｍａｐ）で前記Ｄ２Ｄサブフレームを指示する。
請求項１に記載のサブフレーム構成指示方法。
【請求項５】
前記第２シグナリングが物理層シグナリングであり、下りリンク制御メッセージまたは専用のＤ２Ｄ通信制御メッセージを含む
請求項１に記載のサブフレーム構成指示方法。
【請求項６】
前記第２シグナリングは、Ｄ２Ｄサブフレーム構成パターンを指示することにより、前記Ｄ２Ｄサブフレームに前記Ｄ２Ｄ送信サブフレームを指示することを含む
請求項１に記載のサブフレーム構成指示方法。
【請求項７】
ネットワーク側エンティティによって前記第１シグナリングと第２シグナリングを送信すること、又は、
Ｄ２Ｄユーザ装置によって前記第２シグナリングを送信すること、を含む
請求項１〜６のいずれか１項に記載のサブフレーム構成指示方法。
【請求項８】
サブフレーム構成指示方法であって、
第１シグナリングにより、構成されたデバイスツーデバイス（Ｄ２Ｄ）受信サブフレームを指示することを含み、
前記Ｄ２Ｄ受信サブフレームがセル共通サブフレーム又はＤ２Ｄ通信グループ共通サブフレームであり、
前記Ｄ２Ｄ受信サブフレームがシステムアップリンクサブフレームであり、
前記Ｄ２Ｄ受信サブフレームがＤ２Ｄ通信データを受信するように構成される、前記サブフレーム構成指示方法。
【請求項９】
前記第１シグナリングが上位層シグナリングであり、Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む
請求項８に記載のサブフレーム構成指示方法。
【請求項１０】
前記第１シグナリングには、
Ｄ２Ｄ無線フレーム構成周期、Ｄ２Ｄ無線フレーム構成オフセット、Ｄ２Ｄサブフレーム構成指示のうちの少なくとも一つが含まれる
請求項８に記載のサブフレーム構成指示方法。
【請求項１１】
第１シグナリングにより、構成されたＤ２Ｄ受信サブフレームを指示することは、
前記Ｄ２Ｄサブフレーム構成指示により前記Ｄ２Ｄ受信サブフレームを指示し、前記Ｄ２Ｄサブフレーム構成指示が４０ｂｉｔ指示情報であって、ビットマップ（ｂｉｔｍａｐ）で前記Ｄ２Ｄ受信サブフレームを指示する。
請求項８に記載のサブフレーム構成指示方法。
【請求項１２】
サブフレーム構成指示装置であって、
第１シグナリングにより、構成されたデバイスツーデバイス（Ｄ２Ｄ）サブフレームを指示し、第２シグナリングにより、前記Ｄ２ＤサブフレームにＤ２Ｄ送信サブフレームを指示するように構成される指示モジュールを備え、
前記Ｄ２Ｄサブフレームがセル共通サブフレーム又はＤ２Ｄ通信グループ共通サブフレームであり、
前記Ｄ２Ｄサブフレームがシステムアップリンクサブフレームであり、
前記Ｄ２Ｄ送信サブフレームがＤ２Ｄ通信データを送信するように構成される、前記サブフレーム構成指示装置。
【請求項１３】
前記第１シグナリングが上位層シグナリングであり、Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む
請求項１２に記載のサブフレーム構成指示装置。
【請求項１４】
前記第１シグナリングには、
Ｄ２Ｄ無線フレーム構成周期、Ｄ２Ｄ無線フレーム構成オフセット、Ｄ２Ｄサブフレーム構成指示のうちの少なくとも一つが含まれる
請求項１２に記載のサブフレーム構成指示装置。
【請求項１５】
前記指示モジュールは、前記Ｄ２Ｄサブフレーム構成指示により前記Ｄ２Ｄサブフレームを指示するように構成され、
前記Ｄ２Ｄサブフレーム構成指示が４０ｂｉｔ指示情報であって、ビットマップ（ｂｉｔｍａｐ）で前記Ｄ２Ｄサブフレームを指示するように構成される。
請求項１２に記載のサブフレーム構成指示装置。
【請求項１６】
前記第２シグナリングが物理層シグナリングであり、下りリンク制御メッセージまたは専用のＤ２Ｄ通信制御メッセージを含む
請求項１２に記載のサブフレーム構成指示装置。
【請求項１７】
前記第２シグナリングは、Ｄ２Ｄサブフレーム構成パターンを指示することにより、前記Ｄ２Ｄサブフレームに前記Ｄ２Ｄ送信サブフレームを指示するように構成される
請求項１２に記載のサブフレーム構成指示装置。
【請求項１８】
前記第１シグナリングと第２シグナリングを送信するように構成され、又は、
前記第２シグナリングを送信するように構成される送信モジュールを更に備える
請求項１２〜１７のいずれか１項に記載のサブフレーム構成指示装置。
【請求項１９】
サブフレーム構成指示装置であって、
第１シグナリングにより、構成されたデバイスツーデバイス（Ｄ２Ｄ）受信サブフレームを指示するように構成される指示モジュールを備え、
前記Ｄ２Ｄ受信サブフレームがセル共通サブフレーム又はＤ２Ｄ通信グループ共通サブフレームであり、
前記Ｄ２Ｄ受信サブフレームがシステムアップリンクサブフレームであり、
前記Ｄ２Ｄ受信サブフレームがＤ２Ｄ通信データを受信するように構成される、前記サブフレーム構成指示装置。
【請求項２０】
前記第１シグナリングが上位層シグナリングであり、Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む
請求項１９に記載のサブフレーム構成指示装置。
【請求項２１】
前記第１シグナリングには、
Ｄ２Ｄ無線フレーム構成周期、Ｄ２Ｄ無線フレーム構成オフセット、Ｄ２Ｄサブフレーム構成指示のうちの少なくとも一つが含まれる
請求項１９に記載のサブフレーム構成指示装置。
【請求項２２】
前記指示モジュールは、前記Ｄ２Ｄサブフレーム構成指示により前記Ｄ２Ｄ受信サブフレームを指示するように構成され、
前記Ｄ２Ｄサブフレーム構成指示が４０ｂｉｔ指示情報であって、ビットマップ（ｂｉｔｍａｐ）で前記Ｄ２Ｄ受信サブフレームを指示するように構成される
請求項１９に記載のサブフレーム構成指示装置。
【請求項２３】
サブフレーム構成指示デバイスであって、少なくともプロセッサーと記憶装置を備え、
前記記憶装置にはコンピュータプログラムが格納され、前記コンピュータプログラムが前記プロセッサーによって呼び出される場合、請求項１〜７のいずれか１項に記載のサブフレーム構成指示方法を実行する、前記サブフレーム構成指示デバイス。
【請求項２４】
サブフレーム構成指示デバイスであって、少なくともプロセッサーと記憶装置を備え、
前記記憶装置にはコンピュータプログラムが格納され、前記コンピュータプログラムが前記プロセッサーによって呼び出される場合、請求項８〜１１のいずれか１項に記載のサブフレーム構成指示方法を実行する、前記サブフレーム構成指示デバイス。
【発明の詳細な説明】
【技術分野】
【０００１】
本発明は、移動通信分野に関し、特にデバイスツーデバイス（Ｄ２Ｄ：Ｄｅｖｉｃｅ−ｔｏ−Ｄｅｖｉｃｅ）通信におけるサブフレーム構成指示方法およびシステム、コンピュータ可読記憶媒体に関する。
【背景技術】
【０００２】
セルラーシステムにおいて、２つのユーザ装置（ＵＥ：Ｕｓｅｒ  Ｅｑｕｉｐｍｅｎｔ）間にサービス伝送需要がある場合、ユーザ装置１（ＵＥ１）からユーザ装置２（ＵＥ２）へのサービスデータがまずエアインターフェースを介してＵＥ１が存在している基地局１に伝送され、エアインターフェースは通常、空中インタフェースとも称され、基地局１がコアネットワークを介して当該ユーザデータを基地局２に伝送し、基地局２がさらに前記サービスデータをエアインターフェースを介してＵＥ２に伝送し、ＵＥ２からＵＥ１へのサービスデータ伝送が類似する処理プロセスを採用する。ＵＥ１とＵＥ２が同じセルラーに位置する場合、図１に示すように、基地局１と基地局２が同じサイトであるが、一回のデータ伝送が依然として２つの無線スペクトラムリソースを消費する。
【０００３】
ここから分かるように、ＵＥ１とＵＥ２が同じセルに位置し且つ間隔が小さいと、前記セルラー通信方法は、明らかに最適な通信方式ではない。しかしながら、実際には、移動通信サービスの多様化に伴い、例えば、ソーシャルネットワーク、電子支払いなどが無線通信システムに広く応用され、これにより、近距離ユーザ間のサービス伝送需要がますます増加している。したがって、Ｄ２Ｄの通信モードがますます広く注目される。Ｄ２Ｄ通信とは、図２に示すように、サービスデータが基地局により転送されず、直接ソースユーザ装置によってエアインターフェースを介してターゲットユーザ装置に伝送されることであり、この通信モードが従来のセルラーシステムの通信モードと明らかに異なる特徴を備える。近距離通信のユーザにとって、Ｄ２Ｄ伝送により無線スペクトラムリソースを節約するだけでなく、コアネットワークのデータ伝送圧力を低減させる。セルラーネットワークに基づくＤ２Ｄ通信は、システムの制御で、Ｄ２Ｄ機能をサポートする複数の端末装置の間に直接通信する新しい技術であって、システムリソースの占有を減少させ、セルラー通信システムのスペクトラム効率を向上させ、端末の送信時消費電力を低減させ、そしてネットワーク運用コストを大幅に節約することができる。
【０００４】
Ｄ２Ｄ通信モードをサポートするＵＥは、同時にセルラー通信とＤ２Ｄ通信の状態にある可能性があり、即ちＵＥは、基地局とセルラー通信を維持するとともに、別のＵＥとＤ２Ｄ接続を維持してデータ伝送を行い、Ｄ２Ｄ通信を行う２つのＵＥは、Ｄ２Ｄ  ＵＥペア（Ｄ２Ｄ  ＵＥ  ｐａｉｒ）と呼ばれ、各ＵＥが別のＵＥに対してＤ２Ｄ相手側ＵＥと呼ばれる。セルラー通信とＤ２Ｄ通信の２つのモードの間に、ＵＥのために異なるリソースを分割する必要があり、タイムドメインパーティションの観点から、即ちＤ２Ｄ通信分割向け専用サブフレームであり、どのようにＤ２Ｄ通信サブフレームに対する構成指示を簡便かつ効果的に実現するかは、現在解決しようとする問題である。
【発明の概要】
【０００５】
従来技術に存在する問題を解決するために、本発明の実施形態は、Ｄ２Ｄ通信におけるサブフレーム構成指示方法およびシステム、コンピュータ可読記憶媒体を提供する。
【０００６】
本発明の実施形態に係るデバイスツーデバイス（Ｄ２Ｄ）通信におけるサブフレーム構成指示方法は、
上位層シグナリングおよび／または物理層シグナリングにより、Ｄ２Ｄサブフレームを
構成することを指示すること、あるいは、上位層シグナリングおよび／または物理層シグナリングにより、構成されたＤ２Ｄ送信サブフレームおよび／またはＤ２Ｄ受信サブフレームおよび／またはＤ２Ｄ特殊サブフレームを指示することを含み、前記Ｄ２Ｄ送信サブフレームがＤ２Ｄ通信データを搬送して送信するように構成され、前記Ｄ２Ｄ受信サブフレームがＤ２Ｄ通信データを受信するように構成され、前記Ｄ２Ｄ特殊サブフレームがＤ２Ｄ通信データを搬送して、前記Ｄ２Ｄ通信データを送信および受信するように構成され、前記Ｄ２Ｄ送信サブフレーム、受信サブフレームおよび特殊サブフレームが、システム上りリンクサブフレームである。
【０００７】
好ましくは、当該方法は、２回のシグナリングにより、構成されたＤ２Ｄ送信サブフレームおよび／またはＤ２Ｄ受信サブフレームおよび／またはＤ２Ｄ特殊サブフレームを指示することを含み、
第１回のシグナリング指示が上位層シグナリングにより、構成されたＤ２Ｄサブフレームを指示することであり、前記サブフレームがＤ２Ｄ送信サブフレームおよび／またはＤ２Ｄ受信サブフレームおよび／またはＤ２Ｄ特殊サブフレームを含み、第２回のシグナリング指示が上位層シグナリングまたは物理層シグナリングにより、構成されたＤ２ＤサブフレームにＤ２Ｄ通信の送信サブフレームおよび／または受信サブフレームおよび／または特殊サブフレームを指示することである。
【０００８】
好ましくは、第１回のシグナリングとする上位層シグナリングにより構成された前記Ｄ２Ｄサブフレームは、
セル共通Ｄ２Ｄサブフレーム、Ｄ２Ｄ通信グループ共通Ｄ２Ｄサブフレーム、Ｄ２Ｄユーザ装置ペアのＤ２Ｄサブフレーム、Ｄ２Ｄユーザ装置のＤ２Ｄサブフレームのうちの少なくとも一つである。
【０００９】
好ましくは、当該方法は、シグナリングにより、構成されたＤ２Ｄ送信サブフレームおよび／またはＤ２Ｄ受信サブフレームおよび／またはＤ２Ｄ特殊サブフレームを指示することを含み、前記シグナリングが上位層シグナリングまたは物理層シグナリングである。
【００１０】
好ましくは、前記上位層シグナリングは、
Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む。
【００１１】
好ましくは、前記上位層シグナリングは、
Ｄ２Ｄサブフレーム構成パターン、Ｄ２Ｄ無線フレーム構成周期、Ｄ２Ｄ無線フレーム構成オフセット、Ｄ２Ｄサブフレーム構成指示のうちの少なくとも一つを含む。
【００１２】
好ましくは、前記物理層シグナリングは、下りリンク制御メッセージまたは専用のＤ２Ｄ通信制御メッセージを含む。
【００１３】
好ましくは、前記物理層シグナリングは、Ｄ２Ｄサブフレーム構成パターンまたはＤ２Ｄサブフレーム構成指示を含む。
【００１４】
好ましくは、当該方法は、
前記Ｄ２Ｄサブフレーム構成パターンにより、構成されたＤ２Ｄサブフレーム、Ｄ２Ｄ送信サブフレーム、Ｄ２Ｄ受信サブフレームまたはＤ２Ｄ特殊サブフレームを指示する場合、前記Ｄ２Ｄサブフレーム構成パターンは、８ｂｉｔ指示情報であり、［（１０・ｎｆ＋└ｎｓ／２┘）ｍｏｄ８］∈ΔＢＳＣの関係を満たすシステム上りリンクサブフレームがＤ２Ｄサブフレームであることを指示することを含み、ｎｆがシステム無線フレーム番
号を表し、ｎｓが無線フレームのタイムスロット番号を表し、１０・ｎｆ＋└ｎｓ／２┘がシステム無線フレーム番号ｎｆとタイムスロット番号ｎｓでサブフレームを連続してナンバリングすることを表し、連続したサブフレーム番号のｍｏｄ８がサブフレームを順次８グループに分割することを表し、ΔＢＳＣがグループ番号に対応し、ΔＢＳＣと前記Ｄ２Ｄサブフレーム構成パターンには予め設定された対応関係が存在する。
【００１５】
好ましくは、前記Ｄ２Ｄ無線フレーム構成周期、前記Ｄ２Ｄ無線フレーム構成オフセットおよび前記Ｄ２Ｄサブフレーム構成指示により、構成されたＤ２Ｄサブフレーム、Ｄ２Ｄ送信サブフレーム、Ｄ２Ｄ受信サブフレームまたはＤ２Ｄ特殊サブフレームを指示する場合、当該方法は、
前記Ｄ２Ｄ無線フレーム構成周期と前記Ｄ２Ｄ無線フレーム構成オフセットにより、構成されたＤ２Ｄサブフレーム、Ｄ２Ｄ送信サブフレーム、Ｄ２Ｄ受信サブフレームまたはＤ２Ｄ特殊サブフレームが存在している無線フレームを指示し、前記構成されたＤ２Ｄサブフレーム、Ｄ２Ｄ送信サブフレーム、Ｄ２Ｄ受信サブフレームまたはＤ２Ｄ特殊サブフレームが存在している無線フレームは、無線フレーム番号が前記Ｄ２Ｄ無線フレーム構成周期に対するｍｏｄは前記Ｄ２Ｄ無線フレーム構成オフセットに等しいという関係を満たしている無線フレームであることと、
前記Ｄ２Ｄサブフレーム構成指示により前記Ｄ２Ｄサブフレーム、Ｄ２Ｄ送信サブフレーム、Ｄ２Ｄ受信サブフレームまたはＤ２Ｄ特殊サブフレームが存在している無線フレームと組み合わせて、構成されたＤ２Ｄサブフレーム、Ｄ２Ｄ送信サブフレーム、Ｄ２Ｄ受信サブフレームまたはＤ２Ｄ特殊サブフレームを指示し、前記Ｄ２Ｄサブフレーム構成指示が１０または４０ｂｉｔ指示情報であって、それぞれ前記Ｄ２Ｄサブフレーム、Ｄ２Ｄ送信サブフレーム、Ｄ２Ｄ受信サブフレームまたはＤ２Ｄ特殊サブフレームが存在している無線フレームにおけるサブフレームと１対１に対応し、ビットマップで前記Ｄ２Ｄサブフレーム、Ｄ２Ｄ送信サブフレーム、Ｄ２Ｄ受信サブフレームまたはＤ２Ｄ特殊サブフレームが存在している無線フレームに構成されたＤ２Ｄサブフレーム、Ｄ２Ｄ送信サブフレーム、Ｄ２Ｄ受信サブフレームまたはＤ２Ｄ特殊サブフレームを指示することとを含む。
【００１６】
好ましくは、前記Ｄ２Ｄ無線フレーム構成周期の値が［１，２，４，８，１６，３２］であり、前記Ｄ２Ｄ無線フレーム構成オフセットの値が［０，１，２，３，４，５，６，７］である。
【００１７】
好ましくは、前記上位層シグナリングおよび／または物理層シグナリングは、ネットワーク側エンティティによってＤ２Ｄユーザ装置に送信され、または、第一のＤ２Ｄユーザ装置のＤ２Ｄ通信相手側、即ち第二のＤ２Ｄユーザ装置によって前記第一のＤ２Ｄユーザ装置に送信される。
【００１８】
好ましくは、前記ネットワーク側エンティティは、
発展型基地局（ｅＮＢ）、セル協調エンティティ（ＭＣＥ）、ゲートウェイ（ＧＷ）、移動性管理装置（ＭＭＥ）、発展型ユニバーサル陸上無線アクセスネットワーク（ＥＵＴＲＡＮ）エンティティ、操作管理および保守管理装置（ＯＡＭ）のうちの少なくとも一つを含む。
【００１９】
本発明の実施形態に係るデバイスツーデバイス（Ｄ２Ｄ）通信におけるサブフレーム構成指示システムは、
Ｄ２Ｄ送信サブフレームおよび／またはＤ２Ｄ受信サブフレームおよび／またはＤ２Ｄ特殊サブフレームを構成することに用いられ、前記Ｄ２Ｄ送信サブフレームがＤ２Ｄ通信データを搬送して送信するように構成され、前記Ｄ２Ｄ受信サブフレームがＤ２Ｄ通信データを受信するように構成され、前記Ｄ２Ｄ特殊サブフレームがＤ２Ｄ通信データを搬送して、前記Ｄ２Ｄ通信データを送信および受信するように構成され、前記Ｄ２Ｄ送信サブ
フレーム、受信サブフレームおよび特殊サブフレームがシステム上りリンクサブフレームであるサブフレーム構成モジュールと、
上位層シグナリングおよび／または物理層シグナリングにより、構成されたＤ２Ｄ送信サブフレームおよび／またはＤ２Ｄ受信サブフレームおよび／またはＤ２Ｄ特殊サブフレームを指示することに用いられる指示モジュールとを含む。
【００２０】
好ましくは、前記指示モジュールは、２回のシグナリングにより、構成されたＤ２Ｄ送信サブフレームおよび／またはＤ２Ｄ受信サブフレームおよび／またはＤ２Ｄ特殊サブフレームを指示することに用いられ、
第１回のシグナリング指示が上位層シグナリングにより、構成されたＤ２Ｄサブフレームを指示することであり、前記サブフレームがＤ２Ｄ送信サブフレームおよび／またはＤ２Ｄ受信サブフレームおよび／またはＤ２Ｄ特殊サブフレームを含み、第２回のシグナリング指示が上位層シグナリングまたは物理層シグナリングにより、構成されたＤ２ＤサブフレームにＤ２Ｄ通信の送信サブフレームおよび／または受信サブフレームおよび／または特殊サブフレームを指示することである。
【００２１】
好ましくは、第１回のシグナリングとする上位層シグナリングにより構成された前記Ｄ２Ｄサブフレームは、
セル共通Ｄ２Ｄサブフレーム、Ｄ２Ｄ通信グループ共通Ｄ２Ｄサブフレーム、Ｄ２Ｄユーザ装置ペアのＤ２Ｄサブフレーム、Ｄ２Ｄユーザ装置のＤ２Ｄサブフレームのうちの少なくとも一つである。
【００２２】
好ましくは、前記指示モジュールは、シグナリングにより、構成されたＤ２Ｄ送信サブフレームおよび／またはＤ２Ｄ受信サブフレームおよび／またはＤ２Ｄ特殊サブフレームを指示することに用いられ、前記シグナリングが上位層シグナリングまたは物理層シグナリングである。
【００２３】
好ましくは、前記上位層シグナリングは、
Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む。
【００２４】
好ましくは、前記上位層シグナリングは、
Ｄ２Ｄサブフレーム構成パターン、Ｄ２Ｄ無線フレーム構成周期、Ｄ２Ｄ無線フレーム構成オフセット、Ｄ２Ｄサブフレーム構成指示のうちの少なくとも一つを含む。
【００２５】
好ましくは、前記物理層シグナリングは、下りリンク制御メッセージまたは専用のＤ２Ｄ通信制御メッセージを含む。
【００２６】
好ましくは、前記物理層シグナリングは、Ｄ２Ｄサブフレーム構成パターンまたはＤ２Ｄサブフレーム構成指示を含む。
【００２７】
好ましくは、前記指示モジュールが前記Ｄ２Ｄサブフレーム構成パターンにより、構成されたＤ２Ｄサブフレーム、Ｄ２Ｄ送信サブフレーム、Ｄ２Ｄ受信サブフレームまたはＤ２Ｄ特殊サブフレームを指示する場合、前記Ｄ２Ｄサブフレーム構成パターンは、８ｂｉｔ指示情報であり、［（１０・ｎｆ＋└ｎｓ／２┘）ｍｏｄ８］∈ΔＢＳＣの関係を満たすシステム上りリンクサブフレームがＤ２Ｄサブフレームであることを指示し、ｎｆがシステム無線フレーム番号を表し、ｎｓが無線フレームのタイムスロット番号を表し、１０・ｎｆ＋└ｎｓ／２┘がシステム無線フレーム番号ｎｆとタイムスロット番号ｎｓでサブフレームを連続してナンバリングすることを表し、連続したサブフレーム番号のｍｏｄ８
がサブフレームを順次に８グループに分割することを表し、ΔＢＳＣがグループ番号に対応し、ΔＢＳＣと前記Ｄ２Ｄサブフレーム構成パターンには予め設定された対応関係が存在する。
【００２８】
好ましくは、前記指示モジュールが前記Ｄ２Ｄ無線フレーム構成周期、前記Ｄ２Ｄ無線フレーム構成オフセットおよび前記Ｄ２Ｄサブフレーム構成指示により、構成されたＤ２Ｄサブフレーム、Ｄ２Ｄ送信サブフレーム、Ｄ２Ｄ受信サブフレームまたはＤ２Ｄ特殊サブフレームを指示する場合、
前記Ｄ２Ｄ無線フレーム構成周期と前記Ｄ２Ｄ無線フレーム構成オフセットにより、構成されたＤ２Ｄサブフレーム、Ｄ２Ｄ送信サブフレーム、Ｄ２Ｄ受信サブフレームまたはＤ２Ｄ特殊サブフレームが存在している無線フレームを指示し、前記構成されたＤ２Ｄサブフレーム、Ｄ２Ｄ送信サブフレーム、Ｄ２Ｄ受信サブフレームまたはＤ２Ｄ特殊サブフレームが存在している無線フレームは、無線フレーム番号が前記Ｄ２Ｄ無線フレーム構成周期に対するｍｏｄは前記Ｄ２Ｄ無線フレーム構成オフセットに等しいという関係を満たしている無線フレームであることと、
前記Ｄ２Ｄサブフレーム構成指示により前記Ｄ２Ｄサブフレーム、Ｄ２Ｄ送信サブフレーム、Ｄ２Ｄ受信サブフレームまたはＤ２Ｄ特殊サブフレームが存在している無線フレームと組み合わせて、構成されたＤ２Ｄサブフレーム、Ｄ２Ｄ送信サブフレーム、Ｄ２Ｄ受信サブフレームまたはＤ２Ｄ特殊サブフレームを指示し、前記Ｄ２Ｄサブフレーム構成指示が１０または４０ｂｉｔ指示情報であって、それぞれ前記Ｄ２Ｄサブフレーム、Ｄ２Ｄ送信サブフレーム、Ｄ２Ｄ受信サブフレームまたはＤ２Ｄ特殊サブフレームが存在している無線フレームにおけるサブフレームと１対１に対応し、ビットマップで前記Ｄ２Ｄサブフレーム、Ｄ２Ｄ送信サブフレーム、Ｄ２Ｄ受信サブフレームまたはＤ２Ｄ特殊サブフレームが存在している無線フレームに構成されたＤ２Ｄサブフレーム、Ｄ２Ｄ送信サブフレーム、Ｄ２Ｄ受信サブフレームまたはＤ２Ｄ特殊サブフレームを指示することとを含む。
【００２９】
好ましくは、前記Ｄ２Ｄ無線フレーム構成周期の値が［１，２，４，８，１６，３２］であり、前記Ｄ２Ｄ無線フレーム構成オフセットの値が［０，１，２，３，４，５，６，７］である。
【００３０】
好ましくは、当該システムは、ネットワーク側エンティティに位置し、前記上位層シグナリングおよび／または物理層シグナリングがネットワーク側エンティティ内の指示モジュールによってＤ２Ｄユーザ装置に送信され、または、当該システムは、第一のＤ２Ｄユーザ装置のＤ２Ｄ通信相手側、即ち第二のＤ２Ｄユーザ装置に位置し、前記上位層シグナリングおよび／または物理層シグナリングが前記第二のＤ２Ｄユーザ装置内の指示モジュールによって前記第一のＤ２Ｄユーザ装置に送信される。
【００３１】
好ましくは、前記ネットワーク側エンティティは、
発展型基地局（ｅＮＢ）、セル協調エンティティ（ＭＣＥ）、ゲートウェイ（ＧＷ）、移動性管理装置（ＭＭＥ）、発展型ユニバーサル陸上無線アクセスネットワーク（ＥＵＴＲＡＮ）エンティティ、操作管理および保守管理装置（ＯＡＭ）のうちの少なくとも一つを含む。
【００３２】
本発明の実施形態に係るコンピュータ可読記憶媒体は、本発明の実施形態に記載されるＤ２Ｄ通信におけるサブフレーム構成指示方法を実行するための１グループの命令を含む。
【００３３】
本発明の実施形態に係るＤ２Ｄ通信におけるサブフレーム構成指示方法およびシステム、コンピュータ可読記憶媒体において、Ｄ２Ｄ通信リソースを効果的に分割することで、Ｄ２Ｄサブフレームリソースを柔軟かつ効果的に構成することができ、これにより、Ｄ２
Ｄ  ＵＥが構成されたＤ２ＤサブフレームにＤ２Ｄデータ伝送を行うようになり、リソース利用率の向上、ＵＥデータ通信需要の満足、干渉協調制御などの目的を達成し、効率的なデータ伝送を実現する。
【図面の簡単な説明】
【００３４】
【図１】従来技術におけるセルラーネットワークデータ通信モードを示す図である。
【図２】Ｄ２Ｄ通信モードを示す図である。
【図３】従来技術におけるＬＴＥシステムフレーム構造を示す図である。
【図４】本発明の実施形態における上位層シグナリングによりＤ２Ｄサブフレーム、Ｄ２Ｄ送信サブフレーム、Ｄ２Ｄ受信サブフレームまたはＤ２Ｄ特殊サブフレーム構成を通知するプロセスを示す図である。
【図５】本発明の実施形態における方法１に基づいて取得されたＤ２Ｄ受信サブフレーム構成を示す図である。
【図６】本発明の実施形態に係る上位層シグナリングによりＤ２Ｄサブフレーム、Ｄ２Ｄ送信サブフレーム、Ｄ２Ｄ受信サブフレームまたはＤ２Ｄ特殊サブフレーム構成を通知するプロセスを示す図である。
【図７】本発明の実施形態に係る方法２に基づいて取得されたＤ２Ｄ送信サブフレームと受信サブフレーム構成を示す図である。
【図８】本発明の実施形態に係る方法２に基づいて取得されたＤ２Ｄサブフレーム構成を示す図である。
【図９】本発明の実施形態における方法２に基づいて取得されたＤ２Ｄ受信サブフレーム構成を示す図である。
【図１０】本発明の実施形態における方法１に基づいて取得されたＤ２Ｄ送信サブフレーム構成を示す図である。
【図１１】本発明の実施形態に係る方法１に基づいて取得されたＤ２Ｄサブフレーム構成を示す図である。
【図１２】本発明の実施形態における方法２に基づいて取得されたＤ２Ｄ送信サブフレームと受信サブフレーム構成を示す図である。
【図１３】本発明の実施形態における方法２に基づいて取得されたＤ２Ｄサブフレーム構成を示す図である。
【図１４】本発明の実施形態に係る方法１に基づいて取得されたＤ２Ｄ送信サブフレーム構成を示す図である。
【発明を実施するための形態】
【００３５】
以下、図面と具体的な実施形態を参照して本発明の技術的解決手段をさらに詳しく説明する。
【００３６】
本発明の実施形態に係るＤ２Ｄ通信におけるサブフレーム構成指示方法は、主に、上位層シグナリングおよび／または物理層シグナリングにより、構成されたＤ２Ｄ送信サブフレームおよび／またはＤ２Ｄ受信サブフレームおよび／またはＤ２Ｄ特殊サブフレームを指示することを含み、ここで、前記Ｄ２Ｄ送信サブフレームがＤ２Ｄ通信データを搬送して送信するように構成され、前記Ｄ２Ｄ受信サブフレームがＤ２Ｄ通信データを受信するように構成され、前記Ｄ２Ｄ特殊サブフレームがＤ２Ｄ通信データを搬送して、前記Ｄ２Ｄ通信データを送信および受信するように構成され、前記Ｄ２Ｄ送信サブフレーム、受信サブフレームおよび特殊サブフレームがシステム上りリンクサブフレームである。
【００３７】
好ましくは、２回のシグナリングにより、構成されたＤ２Ｄ送信サブフレームおよび／またはＤ２Ｄ受信サブフレームおよび／またはＤ２Ｄ特殊サブフレームを指示することができ、第１回のシグナリング指示が上位層シグナリングにより、構成されたＤ２Ｄサブフレームを指示することであって、前記サブフレームがＤ２Ｄ送信サブフレームおよび／ま
たはＤ２Ｄ受信サブフレームおよび／またはＤ２Ｄ特殊サブフレームを含み、第２回のシグナリング指示が上位層シグナリングまたは物理層シグナリングにより、構成されたＤ２ＤサブフレームにＤ２Ｄ通信の送信サブフレームおよび／または受信サブフレームおよび／または特殊サブフレームを指示することである。第１回のシグナリングにより構成されたＤ２Ｄサブフレームは、送信、受信または特殊サブフレームを区別せずに、指示されたサブフレームがＤ２Ｄデータの伝送搬送に用いられることを示すだけである。第２回のシグナリング指示において、上位層シグナリングまたは物理層シグナリングによりＤ２Ｄ  ＵＥへ第１回のシグナリングにより構成されたＤ２Ｄサブフレームにおいて具体的にどのようなサブフレームがＤ２Ｄ送信サブフレームとするか、および／またはどのようなサブフレームがＤ２Ｄ受信サブフレームとするか、および／またはどのようなサブフレームが特殊サブフレームとするかを指示する。
【００３８】
ここで、第１回のシグナリングとする上位層シグナリングにより構成された前記Ｄ２Ｄサブフレームは、
セル共通Ｄ２Ｄサブフレーム、Ｄ２Ｄ通信グループ共通Ｄ２Ｄサブフレーム、Ｄ２Ｄユーザ装置ペアのＤ２Ｄサブフレーム、Ｄ２Ｄユーザ装置のＤ２Ｄサブフレームのうちの少なくとも一つである。
【００３９】
好ましくは、１回だけのシグナリングにより、構成されたＤ２Ｄ送信サブフレームおよび／またはＤ２Ｄ受信サブフレームおよび／またはＤ２Ｄ特殊サブフレームを指示することもでき、前記１回のシグナリングが上位層シグナリングまたは物理層シグナリングである。
【００４０】
本発明の実施形態に係る上位層シグナリングは、
Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む。
【００４１】
好ましくは、前記上位層シグナリングは、
Ｄ２Ｄサブフレーム構成パターン（Ｄ２Ｄ−Ｓｕｂｆｒａｍｅ  Ｃｏｎｆｉｇ  Ｐａｔｔｅｒｎ）、Ｄ２Ｄ無線フレーム構成周期（Ｄ２Ｄ−ｒａｄｉｏｆｒａｍｅ  Ａｌｌｏｃａｔｉｏｎ  Ｐｅｒｉｏｄ）、Ｄ２Ｄ無線フレーム構成オフセット（Ｄ２Ｄ−ｒａｄｉｏｆｒａｍｅ  Ａｌｌｏｃａｔｉｏｎ  Ｏｆｆｓｅｔ）、Ｄ２Ｄサブフレーム構成指示（Ｄ２Ｄ−Ｓｕｂｆｒａｍｅ  Ａｌｌｏｃａｔｉｏｎ）のうちの少なくとも一つを含む。
【００４２】
本発明の実施形態に記載される物理層シグナリングは、下りリンク制御メッセージまたは専用のＤ２Ｄ通信制御メッセージを含む。
【００４３】
好ましくは、前記物理層シグナリングは、Ｄ２Ｄサブフレーム構成パターンまたはＤ２Ｄサブフレーム構成指示を含む。
【００４４】
当該方法は、前記Ｄ２Ｄサブフレーム構成パターンにより、構成されたＤ２Ｄサブフレーム、Ｄ２Ｄ送信サブフレーム、Ｄ２Ｄ受信サブフレームまたはＤ２Ｄ特殊サブフレームを指示する場合、前記Ｄ２Ｄサブフレーム構成パターンは、８ｂｉｔ指示情報であり、［（１０・ｎｆ＋└ｎｓ／２┘）ｍｏｄ８］∈ΔＢＳＣの関係を満たすシステム上りリンクサブフレームがＤ２Ｄサブフレームであることを指示することを含み、ここで、ｎｆがシステム無線フレーム番号を表し、ｎｓが無線フレームのタイムスロット番号を表し、１０・ｎｆ＋└ｎｓ／２┘がシステム無線フレーム番号ｎｆとタイムスロット番号ｎｓでサブフレームを連続してナンバリングすることを表し、連続したサブフレーム番号のｍｏｄ８がサブフレームを順次に８グループに分割することを表し、ΔＢＳＣがグループ番号に対
応し、ΔＢＳＣと前記Ｄ２Ｄサブフレーム構成パターンには予め設定された対応関係が存在する。
【００４５】
前記Ｄ２Ｄ無線フレーム構成周期、前記Ｄ２Ｄ無線フレーム構成オフセットおよび前記Ｄ２Ｄサブフレーム構成指示により、構成されたＤ２Ｄサブフレーム、Ｄ２Ｄ送信サブフレーム、Ｄ２Ｄ受信サブフレームまたはＤ２Ｄ特殊サブフレームを指示する場合、当該方法は、
前記Ｄ２Ｄ無線フレーム構成周期と前記Ｄ２Ｄ無線フレーム構成オフセットにより、構成されたＤ２Ｄサブフレーム、Ｄ２Ｄ送信サブフレーム、Ｄ２Ｄ受信サブフレームまたはＤ２Ｄ特殊サブフレームが存在している無線フレームを指示し、ここで、前記構成されたＤ２Ｄサブフレーム、Ｄ２Ｄ送信サブフレーム、Ｄ２Ｄ受信サブフレームまたはＤ２Ｄ特殊サブフレームが存在している無線フレームは、無線フレーム番号が前記Ｄ２Ｄ無線フレーム構成周期に対するｍｏｄは前記Ｄ２Ｄ無線フレーム構成オフセットに等しいという関係を満たしている無線フレームであることと、
前記Ｄ２Ｄサブフレーム構成指示により前記Ｄ２Ｄサブフレーム、Ｄ２Ｄ送信サブフレーム、Ｄ２Ｄ受信サブフレームまたはＤ２Ｄ特殊サブフレームが存在している無線フレームと組み合わせて、構成されたＤ２Ｄサブフレーム、Ｄ２Ｄ送信サブフレーム、Ｄ２Ｄ受信サブフレームまたはＤ２Ｄ特殊サブフレームを指示し、前記Ｄ２Ｄサブフレーム構成指示が１０または４０ｂｉｔ指示情報であって、それぞれ前記Ｄ２Ｄサブフレーム、Ｄ２Ｄ送信サブフレーム、Ｄ２Ｄ受信サブフレームまたはＤ２Ｄ特殊サブフレームが存在している無線フレームにおけるサブフレームと１対１に対応し、即ちビットマップ（ｂｉｔｍａｐ）で前記Ｄ２Ｄサブフレーム、Ｄ２Ｄ送信サブフレーム、Ｄ２Ｄ受信サブフレームまたはＤ２Ｄ特殊サブフレームが存在している無線フレームに構成されたＤ２Ｄサブフレーム、Ｄ２Ｄ送信サブフレーム、Ｄ２Ｄ受信サブフレームまたはＤ２Ｄ特殊サブフレームを指示することとを含む。
【００４６】
好ましくは、前記Ｄ２Ｄ無線フレーム構成周期の値が［１，２，４，８，１６，３２］であり、前記Ｄ２Ｄ無線フレーム構成オフセットの値が［０，１，２，３，４，５，６，７］である。
【００４７】
本発明の実施形態における上位層シグナリングおよび／または物理層シグナリングは、ネットワーク側エンティティによってＤ２Ｄユーザ装置に送信され、または、第一のＤ２Ｄユーザ装置のＤ２Ｄ通信相手側、即ち第二のＤ２Ｄユーザ装置によって前記第一のＤ２Ｄユーザ装置に送信される。
【００４８】
前記ネットワーク側エンティティは、
発展型基地局ｅＮＢ（ｅＮＢ：ｅｖｏｌｖｅｄ  ＮｏｄｅＢ）、セル協調エンティティＭＣＥ（Ｍｕｌｔｉ−ｃｅｌｌ／ｍｕｌｔｉｃａｓｔ  Ｃｏｏｒｄｉｎａｔｉｏｎ  Ｅｎｔｉｔｙ）、ゲートウェイＧＷ（ＧＷ：ＧａｔｅＷａｙ）、移動性管理装置（ＭＭＥ：  Ｍｏｂｉｌｉｔｙ  Ｍａｎａｇｅｍｅｎｔ  Ｅｎｔｉｔｙ）、発展型ユニバーサル陸上無線アクセスネットワークＥＵＴＲＡＮ（ＥＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）エンティティ、操作管理および保守管理装置（ＯＡＭ：Ｏｐｅｒａｔｉｏｎ  Ａｄｍｉｎｉｓｔｒａｔｉｏｎ  ａｎｄ  Ｍａｉｎｔｅｎａｎｃｅ）のうちの少なくとも一つを含む。
【００４９】
以下の本発明の後続実施形態において、ｅＮＢがネットワーク側の構成制御エンティティとすることを例にして説明し、他のエンティティがこれと類似する。
【００５０】
Ｄ２Ｄ通信において、２つ以上のＵＥ同士は、ｅＮＢの制御指示で、データの直接伝送を行う。以下の実施形態において容易に説明するために、２つのＵＥでＤ２Ｄ  Ｐａｉｒ
を構成することを例にして説明する。
【００５１】
ＬＴＥシステムにおいて、各無線フレームは、１０ｍｓであって、１０個のサブフレームを含む。１個のサブフレームは、１ｍｓであって、０．５ｍｓの２個のｔｉｍｅ  ｓｌｏｔに分割され、図３に示すように、無線フレーム番号（Ｓｙｓｔｅｍ  ｆｒａｍｅ  ｎｕｍｂｅｒ）がｎｆに記され、各無線フレーム内の２０個のｔｉｍｅ  ｓｌｏｔ連続番号がｎｓに記され、その値が［０，１９］である。
【００５２】
Ｄ２Ｄサブフレームの構成指示に対して、ｅＮＢによってＤ２Ｄ  ＵＥへ、または第一のＤ２Ｄ  ＵＥのＤ２Ｄ相手側ＵＥ、即ち第二のＤ２Ｄ  ＵＥによって第一のＤ２Ｄ  ＵＥへ上位層シグナリングおよび／または物理層シグナリングにより指示することができる。
【００５３】
好ましくは、具体的なＤ２Ｄサブフレーム構成指示方式は、２回のシグナリング構成により、Ｄ２Ｄ  ＵＥへ、構成されたＤ２Ｄ送信サブフレームおよび／または受信サブフレームおよび／または特殊サブフレームを指示する方式１と、１回のシグナリング構成により、Ｄ２Ｄ  ＵＥへ、構成されたＤ２Ｄ送信サブフレームおよび／または受信サブフレームおよび／または特殊サブフレームを指示する方式２との２つの方式がある。ここで、Ｄ２Ｄ送信サブフレームがＤ２Ｄ通信データを搬送して送信するように構成され、Ｄ２Ｄ受信サブフレームがＤ２Ｄ通信データを受信するように構成され、Ｄ２Ｄ特殊サブフレームがＤ２Ｄ通信データを搬送して、Ｄ２Ｄ通信データを送信および受信するように構成される。
【００５４】
具体的には、方式１の２回のシグナリング構成において、第１回のシグナリング構成が上位層シグナリング構成指示により、Ｄ２Ｄ  ＵＥへ構成されたＤ２Ｄサブフレームを指示し、ここで構成されたＤ２Ｄサブフレームが送信または受信または特殊サブフレームを区別せずに、指示されたサブフレームがＤ２Ｄデータの伝送搬送に用いられることを示すだけである。さらに、第２回のシグナリング指示において、上位層シグナリングまたは物理層シグナリングによりＤ２Ｄ  ＵＥへ第１回のシグナリングにより構成されたＤ２Ｄサブフレームにおいて具体的にどのようなサブフレームがＤ２Ｄ送信サブフレームとするか、および／またはどのようなサブフレームがＤ２Ｄ受信サブフレームとするか、および／またはどのようなサブフレームが特殊サブフレームとするかを指示し、第２回のシグナリングにより、構成されたＤ２Ｄ送信サブフレームおよび／または受信サブフレームおよび／または特殊サブフレームが第１回のシグナリングにより構成されたＤ２Ｄサブフレームセットのサブセットであることを明らかにする。
【００５５】
方式１の２回のシグナリング構成指示により、非常に柔軟かつ効率的なＤ２Ｄリソース構成を実現でき、２回のシグナリング構成が異なるノードによって制御されることができ、例えば、第１回のシグナリングと第２回のシグナリングがいずれもｅＮＢによって構成されて指示され、または、第１回のシグナリングがｅＮＢによって構成されて指示され、第２回のシグナリングが第一のＤ２Ｄ  ＵＥのＤ２Ｄ相手側ＵＥ、即ち第２のＤ２Ｄ  ＵＥによって構成されて第一のＤ２Ｄ  ＵＥに指示される。
【００５６】
方式１における２回のシグナリング構成は、様々な組み合わせ形態を含むことができ、具体的に、
第１回のシグナリングはセル共通Ｄ２Ｄサブフレームを構成し、第２回のシグナリングがＤ２Ｄ  ＵＥの属するＤ２Ｄ送信および／または受信および／または特殊サブフレームを構成し、または、
第１回のシグナリングがセル共通Ｄ２Ｄサブフレームを構成し、第２回のシグナリングがＤ２Ｄ  ＵＥ  ｐａｉｒのＤ２Ｄ送信および／または受信および／または特殊サブフレ
ームを構成し、または、
第１回のシグナリングがＤ２Ｄ  ＵＥグループの共通Ｄ２Ｄサブフレームを構成し、第２回のシグナリングがＤ２Ｄ  ＵＥの属するＤ２Ｄ送信および／または受信および／または特殊サブフレームを構成し、または、
第１回のシグナリングがＤ２Ｄ  ＵＥ  ｐａｉｒのＤ２Ｄサブフレームを構成し、第２回のシグナリングがＤ２Ｄ  ＵＥの属するＤ２Ｄ送信および／または受信および／または特殊サブフレームを構成することを含む。
【００５７】
方式２において、ｅＮＢまたは第二のＤ２Ｄ  ＵＥは、１回のシグナリングによりＤ２Ｄ送信サブフレームおよび／または受信サブフレームおよび／または特殊サブフレームを構成して指示し、使用されたシグナリングが上位層シグナリングまたは物理層シグナリングであって、直接に、Ｄ２Ｄ  ＵＥにより構成されたＤ２Ｄ送信サブフレームおよび／または受信サブフレームおよび／または特殊サブフレームを構成して指示する。
【００５８】
方式１や方式２にかかわらず、Ｄ２Ｄサブフレーム、Ｄ２Ｄ送信サブフレーム、Ｄ２Ｄ受信サブフレームおよびＤ２Ｄ特殊サブフレームがいずれもシステム上りリンクサブフレームであって、Ｄ２Ｄ通信のサービスデータおよび／または制御データが含まれるＤ２Ｄ通信データを搬送することに用いられることを指示し、Ｄ２Ｄ  ＵＥは、Ｄ２Ｄ送信サブフレーム、Ｄ２Ｄ受信サブフレーム、Ｄ２Ｄ特殊サブフレームにＤ２Ｄデータの搬送を行い、Ｄ２Ｄ相手側ＵＥとＤ２Ｄデータのインタラクションを行うことができる。
【００５９】
方式１または方式２において、上位層シグナリングがＤ２Ｄサブフレーム、またはＤ２Ｄ送信サブフレーム／Ｄ２Ｄ受信サブフレーム／Ｄ２Ｄ特殊サブフレーム構成を指示する場合、Ｄ２Ｄ接続確立要求（Ｄ２Ｄ  Ｃｏｎｎｅｃｔｉｏｎ  Ｒｅｑｕｅｓｔ）メッセージ、Ｄ２Ｄ接続確立要求応答（Ｄ２Ｄ  Ｃｏｎｎｅｃｔｉｏｎ  Ｓｅｔｕｐ）メッセージ、Ｄ２Ｄ接続再構成（Ｄ２Ｄ  Ｃｏｎｎｅｃｔｉｏｎ  Ｒｅｃｏｎｆｉｇｕｒａｔｉｏｎ）メッセージ、システムメッセージブロック（ＳＩＢ：Ｓｙｓｔｅｍ  Ｉｎｆｏｒｍａｔｉｏｎ  Ｂｌｏｃｋ）、Ｄ２Ｄ放送メッセージという上位層シグナリング搬送のためのパラメータを使用することができる。前記上位層シグナリングは、ｅＮＢとＤ２Ｄ  ＵＥの間にインタラクションを行うことができ、または、第一のＤ２Ｄ  ＵＥと第二のＤ２Ｄ  ＵＥの間にインタラクションを行うことができる。また、上位層シグナリングにより搬送された、Ｄ２Ｄサブフレーム、またはＤ２Ｄ送信サブフレーム／Ｄ２Ｄ受信サブフレーム／Ｄ２Ｄ特殊サブフレーム構成を指示するためのパラメータは、Ｄ２Ｄサブフレーム構成パターン（Ｄ２Ｄ−Ｓｕｂｆｒａｍｅ  Ｃｏｎｆｉｇ  Ｐａｔｔｅｒ）、Ｄ２Ｄ無線フレーム構成周期（Ｄ２Ｄ−ｒａｄｉｏｆｒａｍｅ  Ａｌｌｏｃａｔｉｏｎ  Ｐｅｒｉｏｄ）、Ｄ２Ｄ無線フレーム構成オフセット（Ｄ２Ｄ−ｒａｄｉｏｆｒａｍｅ  Ａｌｌｏｃａｔｉｏｎ  Ｏｆｆｓｅｔ）、Ｄ２Ｄサブフレーム構成指示（Ｄ２Ｄ−Ｓｕｂｆｒａｍｅ  Ａｌｌｏｃａｔｉｏｎ）のうちの１つ以上を含む。
【００６０】
物理層シグナリングがＤ２Ｄサブフレーム、またはＤ２Ｄ送信サブフレーム／Ｄ２Ｄ受信サブフレーム／Ｄ２Ｄ特殊サブフレーム構成を指示する場合、下りリンク制御メッセージ（ＤＣＩ）または専用のＤ２Ｄ通信制御メッセージを介して必要なパラメータを搬送し、ＤＣＩに固定数量のｂｉｔでＤ２Ｄサブフレーム構成パターンまたはＤ２Ｄサブフレーム構成指示を指示することができる。前記物理層シグナリングは、ｅＮＢによってＤ２Ｄ
ＵＥに指示され、または第二のＤ２Ｄ  ＵＥによって第一のＤ２Ｄ  ＵＥに指示されることができる。
【００６１】
具体的には、前記パラメータに基づいてＤ２Ｄサブフレームを構成して指示する方法は、以下の２種類がある。
【００６２】
方法一において、Ｄ２Ｄサブフレーム構成パターンを使用して、構成されたＤ２Ｄサブフレーム、またはＤ２Ｄ送信サブフレーム／Ｄ２Ｄ受信サブフレーム／Ｄ２Ｄ特殊サブフレームを指示する。
【００６３】
システム上りリンクサブフレームを、無線フレーム番号およびサブフレーム番号に基づいて連続してナンバリングし、順次に８つのグループに分割し、Ｄ２Ｄ  ＵＥの需要に応じて、８つのグループのサブフレームのうちのいずれかの１グループまたは複数のグループを、Ｄ２Ｄサブフレーム、またはＤ２Ｄ送信サブフレーム／Ｄ２Ｄ受信サブフレーム／Ｄ２Ｄ特殊サブフレームとして構成する。前記構成方法は、次式
［（１０・ｎｆ＋└ｎｓ／２┘）ｍｏｄ８］∈ΔＢＳＣ
に表され、ここで、１０・ｎｆ＋└ｎｓ／２┘が無線フレーム番号ｎｆとタイムスロット番号ｎｓでサブフレームを連続してナンバリングすることを表し、連続したサブフレーム番号のｍｏｄ８がサブフレームを順次に８つのグループに分割することを表し、ΔＢＳＣがグループ番号に対応する。
【００６４】
この方法において、パラメータＤ２Ｄサブフレーム構成パターンは、８ｂｉｔ情報であって、ΔＢＳＣと予め定義された対応関係があり、ここでの対応方式は、表１に示され、｛ｘｘｘｘｘｘｘ１｝がＤ２Ｄサブフレーム構成パターンの８ｂｉｔ情報ビットのうちの最後のビットが「１」であることを表し、表１に示す対応関係において、即ちΔＢＳＣ＝７に対応し、その他の場合は、このように類推する。表１はＤ２Ｄサブフレーム構成パターンとΔＢＳＣとの対応関係の一つの例を示すが、本発明の実施形態は、これに限られなく、この原則と同じいずれかの対応関係表が可能である。
【００６５】
【表１】
2017184271.tif 000003
【００６６】
方法２において、Ｄ２Ｄ無線フレーム構成周期、Ｄ２Ｄ無線フレーム構成オフセットおよびＤ２Ｄサブフレーム構成指示を使用して、Ｄ２Ｄサブフレーム、またはＤ２Ｄ送信サブフレーム／Ｄ２Ｄ受信サブフレーム／Ｄ２Ｄ特殊サブフレームを構成して指示する。
【００６７】
この方法においてＤ２Ｄサブフレームに対する構成指示は、さらに２つのステップに分けられることができる。
【００６８】
ステップ１において、構成されたＤ２Ｄサブフレーム、またはＤ２Ｄ送信サブフレーム
／Ｄ２Ｄ受信サブフレーム／Ｄ２Ｄ特殊サブフレームが存在している無線フレームを指示する。
【００６９】
Ｄ２Ｄ無線フレーム構成周期とＤ２Ｄ無線フレーム構成オフセットの２つのパラメータを介して共同で構成されたＤ２Ｄサブフレーム、またはＤ２Ｄ送信サブフレーム／Ｄ２Ｄ受信サブフレーム／Ｄ２Ｄ特殊サブフレームが存在している無線フレームを指示する。
【００７０】
システム上りリンク無線フレーム番号がＤ２Ｄ無線フレーム構成周期に対するｍｏｄ（Ｍｏｄｕｌｏ  ｏｐｅｒａｔｉｏｎ）の結果がＤ２Ｄ無線フレーム構成オフセットに等しい無線フレームは、即ち構成されたＤ２Ｄサブフレーム、またはＤ２Ｄ送信サブフレーム／Ｄ２Ｄ受信サブフレーム／Ｄ２Ｄ特殊サブフレームが存在している無線フレームである。
【００７１】
ステップ２において、前記無線フレーム内でさらに構成されたＤ２Ｄサブフレーム、またはＤ２Ｄ送信サブフレーム／Ｄ２Ｄ特殊サブフレームを指示する。
【００７２】
ステップ１により、Ｄ２Ｄ  ＵＥは、１個または４個の指示された無線フレームを取得することができ、さらにＤ２Ｄサブフレーム構成指示パラメータに基づいてｂｉｔｍａｐの方式でこの無線フレームにおけるサブフレームを一つずつ指示することができ、例えばｂｉｔｍａｐにおける対応する指示ビットが「１」である場合、このサブフレームがＤ２Ｄサブフレーム、またはＤ２Ｄ送信サブフレーム／Ｄ２受信サブフレーム／Ｄ２Ｄ特殊サブフレームであることを表す。Ｄ２Ｄサブフレーム構成指示は、１０ｂｉｔまたは４０ｂｉｔ情報を含み、それぞれ指示された無線フレームが１個または４個である場合に対応する。
【００７３】
実施例１
前記方式２を使用してＤ２Ｄ送信／受信サブフレームを構成する。具体的な構成方法は、方法１を使用して、８ｂｉｔのＤ２Ｄサブフレーム構成パターンに基づいて指示する。
【００７４】
ｅＮＢの制御指示で、Ｄ２Ｄ  ＵＥ  ＡとＤ２Ｄ  ＵＥ  ＢがＤ２Ｄ接続確立を行うプロセスは、図４に示され、ＵＥ  ＡがＵＥ  Ｂ（またはｅＮＢを介してＵＥ  Ｂへ）へＤ２Ｄ接続確立要求（Ｄ２Ｄ  Ｃｏｎｎｅｃｔｉｏｎ  Ｒｅｑｕｅｓｔ）メッセージを送信し、ＵＥ  ＢがＤ２Ｄ接続確立要求メッセージを受信した後、ＵＥ  ＡへＤ２Ｄ接続確立（Ｄ２Ｄ  Ｃｏｎｎｅｃｔｉｏｎ  Ｓｅｔｕｐ）メッセージを送信し、当該Ｄ２Ｄ接続確立情報にはＤ２Ｄ受信サブフレームに対する構成指示情報、即ち８ｂｉｔのＤ２Ｄ受信サブフレーム構成パターンが含まれる。接続確立が完了した後、ＵＥ  Ａは、ＵＥ  ＢへＤ２Ｄ接続確立完了（Ｄ２Ｄ  Ｃｏｎｎｅｃｔｉｏｎ  Ｓｅｔｕｐ  Ｃｏｍｐｌｅｔｅ）メッセージを送信する。
【００７５】
ＵＥ  Ａは、このＤ２Ｄ接続確立メッセージを受信した後、そのなかからＤ２Ｄ受信サブフレーム構成パターン情報を取得し、８ｂｉｔ情報が［１０００  ００００］であり、前記表１に示す対応関係を例にすると、方法１に基づいて、ΔＢＳＣ＝０の場合、ＵＥ  Ａにより取得されたＤ２Ｄ受信サブフレームが［（１０・ｎｆ＋└ｎｓ／２┘）ｍｏｄ８］＝０を満たす１グループのサブフレームであり、図５における陰影部分に示され、ＵＥ
Ａは、前記構成に基づいて構成されたＤ２Ｄ受信サブフレーム上でＵＥ  ＢからのＤ２Ｄデータを受信する。
【００７６】
実施例２
前記方式２を使用してＤ２Ｄ送信／受信サブフレームを構成する。具体的な構成方法は、方法２を使用し、Ｄ２Ｄ無線フレーム構成周期、Ｄ２Ｄ無線フレーム構成オフセット、
および１０ｂｉｔのＤ２Ｄサブフレーム構成指示パラメータを介して指示する。
【００７７】
図６に示すように、Ｄ２Ｄ  ＵＥ  ＡとＤ２Ｄ  ＵＥ  Ｂは、ｅＮＢの制御指示でＤ２Ｄ通信接続を確立し、ｅＮＢは、それぞれＵＥ  ＡとＵＥ  ＢへＤ２Ｄ通信の構成指示を行い、Ｄ２Ｄ接続再構成（Ｄ２Ｄ  Ｃｏｎｎｅｃｔｉｏｎ  Ｒｅｃｏｎｆｉｇｕｒａｔｉｏｎ）メッセージで２つのＵＥに指示する。Ｄ２Ｄ  Ｃｏｎｎｅｃｔｉｏｎ  ＲｅｃｏｎｆｉｇｕｒａｔｉｏｎメッセージにおいてｅＮＢは、ＵＥ  ＡとＵＥ  ＢへＤ２Ｄ送信サブフレームと受信サブフレーム構成の関連パラメータを指示し、Ｄ２Ｄ無線フレーム構成周期、Ｄ２Ｄ無線フレーム構成オフセットおよびＤ２Ｄサブフレーム構成指示を含む。ここで、Ｄ２Ｄ無線フレーム構成周期が２であり、Ｄ２Ｄ無線フレーム構成オフセットが０であり、１０ｂｉｔのＤ２Ｄサブフレーム構成指示を使用して、ＵＥ  Ａに対するＤ２Ｄ送信サブフレームの１０ｂｉｔのＤ２Ｄサブフレーム構成指示情報ビットが［１００００
００１００］であり、対応する指示ビットが「１」であることが、対応するサブフレームがＤ２Ｄ送信サブフレームであることを表し、Ｄ２Ｄ送信サブフレームの１０ｂｉｔのＤ２Ｄサブフレーム構成指示情報ビットが［０１００１  ０００００］であり、対応する指示ビットが「１」であることが、対応するサブフレームがＤ２Ｄ送信サブフレームであることを表す。ＵＥ  Ｂに対するＤ２Ｄ送信サブフレームの１０ｂｉｔのＤ２Ｄサブフレーム構成指示情報ビットが［０１００１  ０００００］であり、対応する指示ビットが「１」であることが、対応するサブフレームがＤ２Ｄ送信サブフレームであることを表し、Ｄ２Ｄ受信サブフレームの１０ｂｉｔのＤ２Ｄサブフレーム構成指示ビットが［１００００  ００１００］であり、対応する指示ビット「１」が、対応するサブフレームがＤ２Ｄ受信サブフレームであることを表す。
【００７８】
方法２によれば、前記構成指示で、ＵＥ  ＡとＵＥ  ＢのＤ２Ｄ送信サブフレームと受信サブフレームの構成は、図７における陰影部分に示される。
【００７９】
実施例３
前記方式１を使用してＤ２Ｄ送信／受信／特殊サブフレームを構成し、ここで第１回のシグナリング構成において方法２を使用し、Ｄ２Ｄ無線フレーム構成周期、Ｄ２Ｄ無線フレーム構成オフセットおよび４０ｂｉｔのＤ２Ｄサブフレーム構成指示パラメータを介して指示し、第２回のシグナリング構成において物理層シグナリング指示１０ｂｉｔのサブフレーム構成指示パラメータを介して指示する。
【００８０】
ｅＮＢは、Ｄ２Ｄ  Ｃｏｎｎｅｃｔｉｏｎ  Ｒｅｃｏｎｆｉｇｕｒａｔｉｏｎを介してＵＥ  ＡへＤ２Ｄサブフレーム構成の関連パラメータを指示し、Ｄ２Ｄ無線フレーム構成周期、Ｄ２Ｄ無線フレーム構成オフセットおよびＤ２Ｄサブフレーム構成指示を含む。ここで、Ｄ２Ｄ無線フレーム構成周期が８であり、Ｄ２Ｄ無線フレーム構成オフセットが０であり、４０ｂｉｔのＤ２Ｄサブフレーム構成指示を使用する。
【００８１】
この構成において、指示されたＤ２Ｄサブフレームが存在している無線フレームが、無線フレーム＃ｎ、＃ｎ＋１、＃ｎ＋２、＃ｎ＋３、＃ｎ＋８、＃ｎ＋９、＃ｎ＋１０、＃ｎ＋１１、．．．．．．であり、４０ｂｉｔのＤ２Ｄサブフレーム構成指示の情報ビットが［１１０００  ０００１１  １００００  ０００００  ０００１１  ０００００  ０００１０  ０００１０］であり、対応する指示ビットが「１」であることが、対応するサブフレームがＤ２Ｄサブフレームであることを表す場合、構成されたＤ２Ｄサブフレームは、図８の陰影部分に示される。
【００８２】
第１回のシグナリングの構成指示を経て、ＵＥ  Ａは、基本的なＤ２Ｄサブフレーム構成を取得し、即ち構成されたＤ２Ｄサブフレームが利用可能なＤ２Ｄ送信および／または受信および／または特殊サブフレームセットである。
【００８３】
好ましくは、ＵＥ  ＡのＤ２Ｄ通信相手側ＵＥ  Ｂは、ＵＥ  Ａへ第２回のシグナリング構成を行い、物理層ＤＣＩを介してＵＥ  Ａへ１０ｂｉｔのＤ２Ｄ受信サブフレーム構成指示パラメータを指示し、ＵＥ  Ａは、ＤＣＩに含まれる［１００１０  ０００００］に基づいて、取得されたＤ２Ｄサブフレームセットにおける、第２回のシグナリング構成により指示されたサブフレームと重なり合うサブフレームをＤ２Ｄ受信サブフレームとして、使用されるＤ２Ｄ受信サブフレームがＤ２Ｄサブフレームセットのサブセットであることを保証する。第１回と第２回のシグナリング構成と組み合わせて、最終的なＵＥ  ＡのＤ２Ｄ受信サブフレームは図９の陰影部分に示される。
【００８４】
実施例４
前記方式２を使用してＤ２Ｄ送信／受信サブフレームを構成する。具体的な構成方法は、方法１を使用し、８ｂｉｔのＤ２Ｄサブフレーム構成パターンに基づいて指示する。
【００８５】
Ｄ２Ｄ  ＵＥ  Ａは、物理層シグナリングにより、Ｄ２Ｄ相手側ＵＥ  ＢへＤ２Ｄ送信サブフレームを構成して指示する。ＵＥ  Ａは、Ｄ２Ｄ向け制御チャネルにＤＣＩを介してＵＥ  Ｂへ８ｂｉｔのＤ２Ｄサブフレーム構成パターンパラメータを指示する。ＵＥ  Ｂは、ＤＣＩにおける指示情報ビットを受信し、Ｄ２Ｄサブフレーム構成パターン［１０００１０００］を取得し、表１に示す対応関係を例にすると、方法１に基づいて、ΔＢＳＣ＝０，４の場合、ＵＥ  Ｂにより取得されたＤ２Ｄ送信サブフレームが［（１０・ｎｆ＋└ｎｓ／２┘）ｍｏｄ８］＝０，４を満たす２グループのサブフレームであり、図１０の陰影部分に示される。
【００８６】
実施例５
前記方式１を使用してＤ２Ｄ送信／受信／特殊サブフレームを構成し、ここで、第１回のシグナリング構成において方法１を使用し、８ｂｉｔのＤ２Ｄサブフレーム構成パターンで指示し、第２回のシグナリング構成において方法２を使用し、上位層シグナリング指示におけるＤ２Ｄ無線フレーム構成周期、Ｄ２Ｄ無線フレーム構成オフセット、および４０ｂｉｔのサブフレーム構成指示パラメータにより指示する。
【００８７】
セル内のＤ２Ｄ  ＵＥは、システム放送情報を受信し、ここで、ＳＩＢ  ２にはｅＮＢによって指示されたＤ２Ｄサブフレーム構成の関連パラメータ、即ち第１回のシグナリング構成、具体的に８ｂｉｔのＤ２Ｄサブフレーム構成パターンが含まれる。
【００８８】
Ｄ２Ｄ  ＵＥ  Ａは、復号化されたＳＩＢ  ２を受信した後、そのなかからＤ２Ｄサブフレーム構成パターン情報を取得し、８ｂｉｔ情報が［１１１０  ００００］であり、表１に示す対応関係を例にすると、方法１に基づいてΔＢＳＣ＝０，１，２の場合、セルにおけるＤ２Ｄサブフレームが［（１０・ｎｆ＋└ｎｓ／２┘）ｍｏｄ８］＝０，１，２を満たす３グループのサブフレームであり、図１１の陰影部分に示される。
【００８９】
好ましくは、ｅＮＢは、上位層シグナリングにより、ＵＥ  ＡへＤ２Ｄサブフレーム構成の関連パラメータを指示し、Ｄ２Ｄ無線フレーム構成周期、Ｄ２Ｄ無線フレーム構成オフセットおよびＤ２Ｄサブフレーム構成指示を含む。ここで、Ｄ２Ｄ無線フレーム構成周期が４であり、Ｄ２Ｄ無線フレーム構成オフセットが０であり、４０ｂｉｔのＤ２Ｄサブフレーム構成指示を使用し、ＵＥ  Ａに対するＤ２Ｄ送信サブフレーム指示が［１１０００  ０００００  １００００  ０００１０  ０００００  ０００００  ０００１０  ０００００］であり、受信サブフレーム指示が［０００００  ０００１０  ０００００  ０００００  ００００１  １００００  ０００００  ０００００］である。
【００９０】
本構成によれば、ＵＥ  Ａは、第１回のシグナリングで構成されたＤ２Ｄサブフレーム
セットにおいて、ｅＮＢの第２回のシグナリング指示に従って構成されたサブフレームがＤ２Ｄサブフレームセットと重なり合うサブフレームを、対応するＤ２Ｄ送信／受信サブフレームとする場合、ＵＥ  ＡのＤ２Ｄ送信サブフレームと受信サブフレーム構成は、図１２に示される。
【００９１】
実施例６
前記方式１を使用してＤ２Ｄ送信／受信サブフレームを構成し、ここで第１回のシグナリング構成において方法２を使用し、上位層シグナリングにより、Ｄ２Ｄ無線フレーム構成周期、Ｄ２Ｄ無線フレーム構成オフセット、および１０ｂｉｔのサブフレーム構成指示パラメータが指示することを指示し、第２回のシグナリング構成において方法１を使用し、物理層シグナリングにより、８ｂｉｔのＤ２Ｄサブフレーム構成パターンパラメータで指示する。
【００９２】
Ｄ２Ｄ  ＵＥ  Ａ，Ｂ，Ｃ，Ｄ，Ｅが１個のＤ２Ｄ通信グループを構成し、ここでＤ２Ｄ  ＵＥ  Ａがグループマネージャーであり、ＵＥ  Ａがグループ内の他のＤ２Ｄ  ＵＥへ専用のＤ２Ｄ放送情報を送信し、専用のＤ２Ｄ放送情報には本グループのＤ２Ｄサブフレーム構成関連パラメータを含み、そのなかにはＤ２Ｄ無線フレーム構成周期、Ｄ２Ｄ無線フレーム構成オフセットおよびＤ２Ｄサブフレーム構成指示が含まれる。ここで、Ｄ２Ｄ無線フレーム構成周期が１であり、Ｄ２Ｄ無線フレーム構成オフセットが０であり、１０ｂｉｔのＤ２Ｄサブフレーム構成指示を使用し、１０ｂｉｔ情報ビットが［１０００１
００１００］であり、対応する指示ビットが「１」であることが、対応するサブフレームがＤ２Ｄサブフレームであることを表す。
【００９３】
方法２によれば、前記構成指示で、このＤ２Ｄ通信グループが使用できるＤ２Ｄサブフレーム構成は、図１３における陰影部分に示され、各無線フレームにおけるサブフレーム＃０、サブフレーム＃４、サブフレーム＃７がグループ内のＤ２Ｄサブフレームである。
【００９４】
好ましくは、Ｄ２Ｄ  ＵＥ  Ａは、物理層シグナリングにより、Ｄ２Ｄ相手側ＵＥ  ＥへＤ２Ｄ送信サブフレームを構成して指示する。ＵＥ  Ａは、Ｄ２Ｄ向け制御チャネルにＤＣＩでＵＥ  Ｅへ８ｂｉｔのＤ２Ｄサブフレーム構成パターンパラメータを指示する。ＵＥ  Ｅは、ＤＣＩにおける指示情報ビットを受信し、Ｄ２Ｄサブフレーム構成パターン［１１００  ００００］を取得する場合、構成に基づいて、ＵＥ  Ｅが第１回のシグナリング構成により取得されたＤ２Ｄサブフレームセットにおいて、第２回のシグナリング指示に従って構成されたサブフレームがＤ２Ｄサブフレームセットと重なり合うサブフレームを、Ｄ２Ｄ送信サブフレームとする。前記表１に示す対応関係を例にすると、方法１に基づいて、ΔＢＳＣ＝０，１である場合、ＵＥ  Ｅにより取得されたＤ２Ｄ送信サブフレームが［（１０・ｎｆ＋└ｎｓ／２┘）ｍｏｄ８］＝０，１を満たすサブフレームであり、図１４における陰影部分に示される。
【００９５】
本発明の実施形態に係るＤ２Ｄ通信におけるサブフレーム構成指示方法に対応して、本発明の実施形態に係るＤ２Ｄ通信におけるサブフレーム構成指示システムは、接続しているサブフレーム構成モジュールと指示モジュールとを含む。
【００９６】
ここで、サブフレーム構成モジュールは、Ｄ２Ｄ送信サブフレームおよび／またはＤ２Ｄ受信サブフレームおよび／またはＤ２Ｄ特殊サブフレームを構成することに用いられ、前記Ｄ２Ｄ送信サブフレームがＤ２Ｄ通信データを搬送して送信するように構成され、前記Ｄ２Ｄ受信サブフレームがＤ２Ｄ通信データを受信するように構成され、前記Ｄ２Ｄ特殊サブフレームがＤ２Ｄ通信データを搬送して、前記Ｄ２Ｄ通信データを送信および受信するように構成され、前記Ｄ２Ｄ送信サブフレーム、受信サブフレームと特殊サブフレームが、システム上りリンクサブフレームである。
【００９７】
指示モジュールは、上位層シグナリングおよび／または物理層シグナリングにより、構成されたＤ２Ｄ送信サブフレームおよび／またはＤ２Ｄ受信サブフレームおよび／またはＤ２Ｄ特殊サブフレームを指示するように構成される。
【００９８】
好ましくは、前記指示モジュールは、２回のシグナリングにより、構成されたＤ２Ｄ送信サブフレームおよび／またはＤ２Ｄ受信サブフレームおよび／またはＤ２Ｄ特殊サブフレームを指示することに用いられ、
ここで、第１回のシグナリング指示が上位層シグナリングにより、構成されたＤ２Ｄサブフレームを指示することであり、前記サブフレームがＤ２Ｄ送信サブフレームおよび／またはＤ２Ｄ受信サブフレームおよび／またはＤ２Ｄ特殊サブフレームを含み、第２回のシグナリング指示が上位層シグナリングまたは物理層シグナリングにより構成されたＤ２ＤサブフレームにＤ２Ｄ通信の送信サブフレームおよび／または受信サブフレームおよび／または特殊サブフレームを指示することである。
【００９９】
第１回のシグナリングとする上位層シグナリングにより構成された前記Ｄ２Ｄサブフレームは、
セル共通Ｄ２Ｄサブフレーム、Ｄ２Ｄ通信グループ共通Ｄ２Ｄサブフレーム、Ｄ２Ｄユーザ装置ペアのＤ２Ｄサブフレーム、Ｄ２Ｄユーザ装置のＤ２Ｄサブフレームのうちの少なくとも一つである。
【０１００】
好ましくは、前記指示モジュールは、１回だけのシグナリングにより構成されたＤ２Ｄ送信サブフレームおよび／またはＤ２Ｄ受信サブフレームおよび／またはＤ２Ｄ特殊サブフレームを指示することに用いられ、前記１回のシグナリングが上位層または物理層シグナリングである。
【０１０１】
前記上位層シグナリングは、
Ｄ２Ｄ接続確立要求メッセージ、Ｄ２Ｄ接続確立要求応答メッセージ、Ｄ２Ｄ接続再構成メッセージ、システム情報ブロック、Ｄ２Ｄ放送メッセージのうちの少なくとも一つを含む。
【０１０２】
前記上位層シグナリングは、
Ｄ２Ｄサブフレーム構成パターン、Ｄ２Ｄ無線フレーム構成周期、Ｄ２Ｄ無線フレーム構成オフセット、Ｄ２Ｄサブフレーム構成指示のうちの少なくとも一つを含む。
【０１０３】
前記物理層シグナリングは、下りリンク制御メッセージまたは専用のＤ２Ｄ通信制御メッセージを含む。前記物理層シグナリングは、Ｄ２Ｄサブフレーム構成パターンまたはＤ２Ｄサブフレーム構成指示を含む。
【０１０４】
好ましくは、前記指示モジュールが前記Ｄ２Ｄサブフレーム構成パターンにより、構成されたＤ２Ｄサブフレーム、Ｄ２Ｄ送信サブフレーム、Ｄ２Ｄ受信サブフレームまたはＤ２Ｄ特殊サブフレームを指示する場合、前記Ｄ２Ｄサブフレーム構成パターンは、８ｂｉｔ指示情報であり、［（１０・ｎｆ＋└ｎｓ／２┘）ｍｏｄ８］∈ΔＢＳＣの関係を満たすシステム上りリンクサブフレームがＤ２Ｄサブフレームであることを指示し、ここで、ｎｆがシステム無線フレーム番号を表し、ｎｓが無線フレームのタイムスロット番号を表し、（１０・ｎｆ＋└ｎｓ／２┘がシステム無線フレーム番号ｎｆとタイムスロット番号ｎｓでサブフレームを連続してナンバリングすることを表し、連続したサブフレーム番号のｍｏｄ８が、サブフレームを順次に８グループに分割することを表し、ΔＢＳＣがグループ番号に対応し、ΔＢＳＣと前記Ｄ２Ｄサブフレーム構成パターンには予め設定された対応関係がある。
【０１０５】
前記指示モジュールが前記Ｄ２Ｄ無線フレーム構成周期、前記Ｄ２Ｄ無線フレーム構成オフセットおよび前記Ｄ２Ｄサブフレーム構成指示により、構成されたＤ２Ｄサブフレーム、Ｄ２Ｄ送信サブフレーム、Ｄ２Ｄ受信サブフレームまたはＤ２Ｄ特殊サブフレームを指示する場合、
前記Ｄ２Ｄ無線フレーム構成周期と前記Ｄ２Ｄ無線フレーム構成オフセットにより、構成されたＤ２Ｄサブフレーム、Ｄ２Ｄ送信サブフレーム、Ｄ２Ｄ受信サブフレームまたはＤ２Ｄ特殊サブフレームが存在している無線フレームを指示し、ここで、前記構成されたＤ２Ｄサブフレーム、Ｄ２Ｄ送信サブフレーム、Ｄ２Ｄ受信サブフレームまたはＤ２Ｄ特殊サブフレームが存在している無線フレームは、無線フレーム番号が前記Ｄ２Ｄ無線フレーム構成周期に対するｍｏｄは前記Ｄ２Ｄ無線フレーム構成オフセットに等しいという関係を満たしている無線フレームであることと、
前記Ｄ２Ｄサブフレーム構成指示により前記Ｄ２Ｄサブフレーム、Ｄ２Ｄ送信サブフレーム、Ｄ２Ｄ受信サブフレームまたはＤ２Ｄ特殊サブフレームが存在している無線フレームと組み合わせて、構成されたＤ２Ｄサブフレーム、Ｄ２Ｄ送信サブフレーム、Ｄ２Ｄ受信サブフレームまたはＤ２Ｄ特殊サブフレームを指示し、前記Ｄ２Ｄサブフレーム構成指示が１０または４０ｂｉｔ指示情報であって、それぞれ前記Ｄ２Ｄサブフレーム、Ｄ２Ｄ送信サブフレーム、Ｄ２Ｄ受信サブフレームまたはＤ２Ｄ特殊サブフレームが存在している無線フレームにおけるサブフレームと１対１に対応し、即ちビットマップ（ｂｉｔｍａｐ）で前記Ｄ２Ｄサブフレーム、Ｄ２Ｄ送信サブフレーム、Ｄ２Ｄ受信サブフレームまたはＤ２Ｄ特殊サブフレームが存在している無線フレームにおける構成されたＤ２Ｄサブフレーム、Ｄ２Ｄ送信サブフレーム、Ｄ２Ｄ受信サブフレームまたはＤ２Ｄ特殊サブフレームを指示することとを含む。
【０１０６】
好ましくは、前記Ｄ２Ｄ無線フレーム構成周期の値が［１，２，４，８，１６，３２］であり、前記Ｄ２Ｄ無線フレーム構成オフセットの値が［０，１，２，３，４，５，６，７］である。
【０１０７】
好ましくは、当該システムは、ネットワーク側エンティティに位置し、前記上位層シグナリングおよび／または物理層シグナリングがネットワーク側エンティティ内の指示モジュールによってＤ２Ｄユーザ装置に送信され、または、当該システムは、第一のＤ２Ｄユーザ装置のＤ２Ｄ通信相手側、即ち第二のＤ２Ｄユーザ装置に位置し、前記上位層シグナリングまたは物理層シグナリングが前記第二のＤ２Ｄユーザ装置内の指示モジュールによって前記第一のＤ２Ｄユーザ装置に送信される。
【０１０８】
前記ネットワーク側エンティティは、ｅＮＢ、ＭＣＥ、ＧＷ、ＭＭＥ、ＥＵＴＲＡＮ、ＯＡＭの少なくとも一つを含む。
【０１０９】
前記サブフレーム構成モジュールは、ネットワーク側エンティティの中央処理装置（ＣＰＵ：Ｃｅｎｔｒａｌ  Ｐｒｏｃｅｓｓｉｎｇ  Ｕｎｉｔ）、マイクロプロセッサ（ＭＰＵ：Ｍｉｃｒｏ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）またはフィールドプログラマブルゲートアレイ（Ｆｉｅｌｄ−Ｐｒｏｇｒａｍｍａｂｌｅ  Ｇａｔｅ  Ａｒｒａｙ）によって実現されることができ、指示モジュールは、ネットワーク側エンティティの通信チップによって実現されることができると説明すべきである。
【０１１０】
本発明の実施形態に係るコンピュータ可読記憶媒体は、本発明の実施形態に係るＤ２Ｄ通信におけるサブフレーム構成指示方法を実行するための１グループの命令を含む。
【０１１１】
上述したように、本発明の実施形態は、Ｄ２Ｄ通信リソースを効果的に分割することで
、Ｄ２Ｄサブフレームリソースを柔軟かつ効果的に構成することができ、これにより、Ｄ２Ｄ  ＵＥが構成されたＤ２Ｄサブフレーム上でＤ２Ｄデータ伝送を行うようになり、リソース利用率の向上、ＵＥデータ通信需要の満足、干渉協調制御などの目的を達成し、効率的なデータ伝送を実現する。
【０１１２】
上記は、本発明の好ましい実施形態に過ぎず、本発明の保護範囲を限定することに用いられるものではない。
【図１】
2017184271.tif 000004
【図２】
2017184271.tif 000005
【図３】
2017184271.tif 000006
【図４】
2017184271.tif 000007
【図５】
2017184271.tif 000008
【図６】
2017184271.tif 000009
【図７】
2017184271.tif 000010
【図８】
2017184271.tif 000011
【図９】
2017184271.tif 000012
【図１０】
2017184271.tif 000013
【図１１】
2017184271.tif 000014
【図１２】
2017184271.tif 000015
【図１３】
2017184271.tif 000016
【図１４】
2017184271.tif 000017